(57)【要約】【課題】顧客の要望に応じた幕板を容易に設置することができるとともに、オプション部材の取付けが可能な天板付き什器を提供する。【解決手段】天板付き什器２は、床面上に設置される脚体１０と、脚体１０に支持され、上面に作業面を有する天板６０と、脚体１０または天板６０に支持され、平板状またはフレーム状に形成された幕板支持体２０と、幕板支持体２０に着脱可能に装着されるとともに、執務者側と該執務者が対応する対応者側との間を区画する幕板３０Ａと、脚体１０、天板６０及び幕板支持体２０の少なくともいずれかに支持され、対応者側に配置されたオプション部材１００と、を備えることを特徴とする。【選択図】図１
2017086440.tif 000002
【特許請求の範囲】
【請求項１】
床面上に設置される脚体と、
該脚体に支持され、上面に作業面を有する天板と、
前記脚体または前記天板に支持され、平板状またはフレーム状に形成された幕板支持体と、
該幕板支持体に着脱可能に装着されるとともに、執務者側と該執務者が対応する対応者側との間を区画する幕板と、
前記脚体、前記天板及び前記幕板支持体の少なくともいずれかに支持され、前記対応者側に配置されたオプション部材と、を備えることを特徴とする天板付き什器。
【請求項２】
前記天板と前記幕板支持体及び前記幕板との間には取付空間が形成され、
前記執務者側で前記脚体、前記天板及び前記幕板支持体の少なくともいずれかに固定されるとともに、前記取付空間に配置され、前記オプション部材を前記対応者側に支持するブラケットを、さらに備えることを特徴とする請求項１に記載の天板付き什器。
【請求項３】
前記取付空間は、
前記幕板支持体の上端部から下方に凹む凹部、及び該凹部に連通し、前記幕板の上端部と前記天板との間の隙間により形成されていることを特徴とする請求項２に記載の天板付き什器。
【請求項４】
前記天板の前記対応者側の端部は、前記幕板支持体よりも前記対応者側に突出していることを特徴とする請求項１から３のいずれか一項に記載の天板付き什器。
【請求項５】
前記幕板は、前記幕板支持体に前記執務者側から螺子で固定されていることを特徴とする請求項１から４のいずれか一項に記載の天板付き什器。
【発明の詳細な説明】
【技術分野】
【０００１】
本発明は、天板を備えたカウンター装置、デスク装置、テーブル装置等の天板付き什器に関する。
【背景技術】
【０００２】
一般的に、オフィス、公共施設、銀行等においては、執務者が来客に対応するための窓口として、カウンター等の受付が設置されている。カウンターとして、床面に設置される側板、サイドパネル等の支持体と、支持体に支持された平板状の天板と、来客のいる来客側空間と執務者が作業する執務側空間とを区画し、支持体に支持された幕板と、を備えたものが知られている。このようなカウンターでは、天板を利用して受付業務を円滑に行うことができるとともに、幕板により来客側空間から執務者の下肢が見えないため体裁を良好とすることができる（下記特許文献１，２参照）。
【０００３】
一方、カウンターは、設置される施設を代表する「顔」としての役割を担うため、カウンター自体を企業等のコーポレートカラーに彩色したり、良質な木材を使用して高級感を演出したり、企業ロゴを装飾する場合が多く見られる。
【先行技術文献】
【特許文献】
【０００４】
【特許文献１】特開２０１０−３５９３５号公報
【特許文献２】特許第４８７７９４６号公報
【発明の概要】
【発明が解決しようとする課題】
【０００５】
しかしながら、カウンター等の天板を備えた什器において、施設側の要望に応じて、来客が正面視する幕板に装飾を施す場合には、オーダーメイドで製造することになり、製造コスト及び製造工数が多くかかってしまうという問題点がある。
また、執務者が物品を収容する棚や、文字等の情報を表示するデスクトップパネル等のオプション部材をカウンターに設置したいという要望もある。
【０００６】
本発明は、上記事情に鑑みてなされたものであり、顧客の要望に応じた幕板を容易に設置することができるとともに、オプション部材の取り付けが可能な天板付き什器を提供するものである。
【課題を解決するための手段】
【０００７】
上記目的を達成するために、本発明は以下の手段を採用している。
すなわち、本発明に係る天板付き什器は、床面上に設置される脚体と、該脚体に支持され、上面に作業面を有する天板と、前記脚体または前記天板に支持され、平板状またはフレーム状に形成された幕板支持体と、該幕板支持体に着脱可能に装着されるとともに、執務者側と該執務者が対応する対応者側との間を区画する幕板と、前記脚体、前記天板及び前記幕板支持体の少なくともいずれかに支持され、前記対応者側に配置されたオプション部材と、を備えることを特徴とする。
【０００８】
このように構成された天板付き什器では、幕板支持体は、床面上に設置される脚体または脚体に支持された天板に支持され、平板状またはフレーム状に形成されている。また、幕板は、幕板支持体に着脱可能に装着されている。よって、幕板を幕板支持体に装着すれば幕板を設置でき、必要に応じて取り外して他の幕体を取り付けることもできるため、顧客の要望に応じた幕板を容易に設置することができる。
また、オプション部材を、脚体、天板及び幕板支持体の少なくともいずれかに支持させて、対応者側に配置することができる。
【０００９】
また、本発明に係る天板付き什器は、前記天板と前記幕板支持体及び前記幕板との間には取付空間が形成され、前記執務者側で、前記脚体、前記天板及び前記幕板支持体の少なくともいずれかに固定されるとともに、前記取付空間に配置され、前記オプション部材を前記対応者側に支持するブラケットを、さらに備えることが好ましい。
【００１０】
このように構成された天板付き什器では、天板と幕板支持体及び幕板との間に形成された取付空間に配置されたブラケットは、執務者側で、脚体、天板及び幕板支持体の少なくともいずれかに固定されている。よって、ブラケットが脚体、天板及び幕板支持体の少なくともいずれかに固定されている部分は、執務者側に配置されているため、当該固定されている部分が対応者側に露出することが抑制される。
【００１１】
また、本発明に係る天板付き什器では、前記取付空間は、前記幕板支持体の上端部から下方に凹む凹部、及び該凹部に連通し、前記幕板の上端部と前記天板との間の隙間により形成されていてもよい。
【００１２】
このように構成された天板付き什器では、取付空間は、幕板支持体の上端部から下方に凹む凹部、及び凹部に連通し、幕板の上端部と天板との間の隙間により形成されている。よって、幕板に加工を施す必要がないため顧客の要望に応じた幕板を提供しやすいとともに、簡易な構成で取付空間を形成することができる。
【００１３】
また、本発明に係る天板付き什器では、前記天板の前記対応者側の端部は、前記幕板支持体よりも前記対応者側に突出していてもよい。
【００１４】
このように構成された天板付き什器では、天板の対応者側の端部は、幕板支持体よりも対応者側に突出している。よって、対応者側における上方から見た際に、幕板支持体の上端部に形成された凹部が天板で隠れるため、凹部の露出を抑制することができる。
【００１５】
また、本発明に係る天板付き什器では、前記幕板は、前記幕板支持体に前記執務者側から螺子で固定されていてもよい。
【００１６】
このように構成された天板付き什器では、幕板は、幕板支持体に執務者側から螺子で固定されている。よって、幕板を容易に取り付けたり、取り外したりすることができるとともに、幕板の幕板支持体に取付部分である螺子が対応者側から見えることが抑制される。
【発明の効果】
【００１７】
本発明に係る天板付き什器によれば、顧客の要望に応じた幕板を容易に設置することができるとともに、オプション部材を取り付けることができる。
【図面の簡単な説明】
【００１８】
【図１】本発明の一実施形態に係る天板付き什器を備えた什器システムを来客側から見た斜視図である。
【図２】本発明の一実施形態に係る天板付き什器を執務者側から見た斜視図である。
【図３】本発明の一実施形態に係る天板付き什器の側面図である。
【図４】本発明の一実施形態に係る天板付き什器の幕板の取付けを示す前側の横断面図（図５のＢ−Ｂ断面図）である。
【図５】本発明の一実施形態に係る天板付き什器において、オプション部材としてのエプロンユニットを取り外した状態を来客側から見た正面図である。
【図６】本発明の一実施形態に係る天板付き什器の縦断面図（図５のＣ−Ｃ断面図）である。
【図７】本発明の一実施形態に係る天板付き什器のエプロンユニットの分解斜視図である。
【図８】本発明の一実施形態に係る天板付き什器のエプロンユニット部分の縦断面図（図１のＡ−Ａ断面図）である。
【図９】本発明の一実施形態の変形例１に係る天板付き什器を来客側から見た斜視図である。
【図１０】本発明の一実施形態の変形例１に係る天板付き什器のオプション部材としてのトップススクリーン部分の縦断面図である。
【図１１】本発明の一実施形態の変形例２に係る天板付き什器を来客側から見た部分的な斜視図である。
【図１２】本発明の一実施形態の変形例３に係る天板付き什器を来客側から見た部分的な斜視図である。
【図１３】本発明の一実施形態の変形例４に係る天板付き什器を来客側から見た部分的な斜視図である。
【発明を実施するための形態】
【００１９】
以下、本発明の天板付き什器を備えた什器システムの実施形態の一例としてカウンターシステムについて、図面を参照して説明する。
図１は、本発明の一実施形態に係る天板付き什器を備えた什器システムを来客側から見た斜視図である。
図１に示すように、カウンターシステム１は、高さの異なる一対のカウンター、つまりローカウンター２及びローカウンター２よりも高さの高いハイカウンター３が隣接配置されている。
【００２０】
このカウンターシステム１は、オフィス等で来客に対応する窓口として設置されるものである。ここで、以下の説明において、カウンターシステム１に来客が向かう側（来客側、対応者側）を前側と称し、執務者が向かう側（執務者側）を後側と称し、これらを結ぶ方向を前後方向と称することがある。また、前後方向と直交する水平方向を幅方向と称することがある。
【００２１】
図２は、ローカウンター２を執務者側から見た斜視図である。図３は、ローカウンター２の側面図である。
図２、図３に示すように、ローカウンター２は、床面Ｆ上に設置される下部ユニット４と、下部ユニット４に着脱可能に装着されるエプロンユニット（オプション部材）１００と、を備えている。
【００２２】
下部ユニット４は、幅方向に離間して配置された一対の側板（脚体）１０と、側板１０の前端部同士を連結する幕板ユニット２０Ａと、側板１０の上端部間に架設された天板６０と、を備えている。
【００２３】
（側板）
側板１０は、床面Ｆ上に設置されている。側板１０は、平板状に形成され、前後方向に沿って配置された側板本体１１を有している。本実施形態では、側板１０は鋼板等の板材を加工して形成されている。
【００２４】
図４は、ローカウンター２の幕板ユニット２０Ａの取付けを示す前側の横断面図（図５のＢ−Ｂ断面図）である。
図４に示すように、側板本体１１の前端部には、ローカウターの幅方向の内側に向かって折曲された前壁部１２が設けられている。また、前壁部１２の端部には、後方に向かって折曲された取付壁部１３が設けられている。取付壁部１３には、後述する幕板ユニット２０Ａを取り付けるための板厚方向に貫通する取付孔１３ｈが形成されている。
【００２５】
（幕板ユニット）
図５は、ローカウンター２において、エプロンユニット１００を取り外した状態を来客側から見た正面図である。図６は、ローカウンター２の縦断面図（図５のＣ−Ｃ断面図）である。
図４から図６に示すように、幕板ユニット２０Ａは、鉛直面に沿って配置されている。幕板ユニット２０Ａは、側板１０に固定される基板（幕板支持体）２０と、基板２０に対して着脱可能に設けられる化粧幕板（幕板）３０Ａと、を有している。
【００２６】
基板２０は、平板状に形成され、幅方向及に沿って配置された基板本体２１を有している。本実施形態では、基板２０は鋼板等の板材を加工して形成されている。なお、基板はフレーム状に形成されていてもよい。また、基板が平板状に形成されている場合には、後述する化粧幕板３０Ａと略同一の大きさで形成されていることが好ましい。基板がフレーム状に形成されている場合には、化粧幕板３０Ａの外縁に沿って配置されていることが好ましい。
【００２７】
図６に示すように、基板本体２１の上部及び下部には、板厚方向（前後方向）に貫通する取付孔２１ｈがそれぞれ形成されている。この取付孔２１ｈは、後述する化粧幕板３０Ａを取り付けるためのものである。
【００２８】
図４に示すように、基板本体２１の幅方向の両端部には、前方に向かって折曲された取付壁部２２が設けられている。取付壁部２２には、板厚方向に貫通する取付孔２２ｈが形成されている。取付孔２２ｈから挿通された螺子２２ｓが、側板１０の取付孔１３ｈに螺合されている。これにより、基板２０は側板１０に固定されている。
【００２９】
図６に示すように、基板本体２１の上端部には、前方に向かって折曲された上壁部２３が設けられている。
【００３０】
図５に示すように、基板２０の上端部には、下方に凹む凹部Ｓ１が形成されている。凹部Ｓ１は、ローカウンター２の幅方向に離間して複数形成されている。具体的には、凹部Ｓ１は、上壁部２３から下方に折曲された一対の側壁部２４と、側壁部２４の下端部同士を接続する底壁部２５と、を有している。この凹部Ｓ１には、後述するエプロンユニット１００（図８参照。以下同じ。）を取り付けるためのブラケット１８０（図８参照。以下同じ。）が挿入される。
【００３１】
図６に示すように、基板本体２１の下端部には、前方に向かって折曲された第一下壁部２６が設けられている。第一下壁部２６の端部には、下方に向かって折曲された係合壁部２７が設けられている。係合壁部２７の端部には、前方に向かって折曲された第二下壁部２８が設けられている。
【００３２】
化粧幕板３０Ａは、執務者側と来客側との間を区画している。化粧幕板３０Ａは、幕板体３０と、幕板体３０の下部に設けられた下部板５０と、を有している。幕板体３０は、企業等のコーポレートカラーに彩色したり、良質な木材で構成されていたり、企業ロゴを装飾してもよい。下部板５０は、来客の足先等が当たった際の損傷を防ぐ機能がある。本実施形態では、幕板体３０及び下部板５０は鋼板等の板材を加工して形成され、幕板体３０と下部板５０とは溶接等により接合され一体とされている。
【００３３】
幕板体３０は、平板状に形成され幅方向に沿って配置される幕板本体３１と、幕板本体３１の後面（執務者側の面）に設けられた取付部４０と、を有している。幕板本体３１と取付部４０とは、溶接等により接合され一体とされていてもよい。
【００３４】
幕板本体３１の上端部には、後方に向かって折曲された上壁部３２が設けられている。上壁部３２の端部には、下方に向かって折曲された後壁部３３が設けられている。後壁部３３は、基板２０の底壁部２５に当接している。
【００３５】
取付部４０は、幕板本体３１の後面に沿って配置される支持壁部４１と、支持壁部４１の上端部から後方に向かって折曲された上折曲壁部４２と、支持壁部４１の下端部から後方に向かって折曲された下折曲壁部４３と、下折曲壁部４３の端部から上方に向かって折曲された取付壁部４４と、を有している。
【００３６】
取付壁部４４には、板厚方向（前後方向）に貫通する取付孔４４ｈが形成されている。基板本体２１の取付孔２１ｈに対して後方から挿通された螺子２１ｓが、取付壁部４４の取付孔４４ｈに螺合されている。これにより、化粧幕板３０Ａの上部は基板２０の上部に固定されている。
【００３７】
幕板本体３１の下端部には、後方に向かって折曲された下壁部３４が設けられている。下壁部３４の端部には、上方に向かって折曲された後壁部３５が設けられている。後壁部３５の上端部には、前方に向かって折曲された係合壁部３６が設けられている。
【００３８】
後壁部３５には、板厚方向（前後方向）に貫通する取付孔３５ｈが形成されている。この取付孔３５ｈは、化粧幕板３０Ａ自体を基板２０に取り付けるためのものである。
【００３９】
下部板５０は、平板状に形成され、幕板本体３１と同一平面上に配置される下部板本体５１を有している。
【００４０】
下部板本体５１の下端部には、後方に向かって折曲された支持壁部５２が設けられている。支持壁部５２の端部には、上方に向かって折曲された上向き壁部５３が設けられている。
【００４１】
下部板５０の支持壁部５２の上部に基板２０の第二下壁部２８が載置され、基板２０の第二下壁部２８の先端部は下部板本体５１の後面に当接し、下部板５０の上向き壁部５３の前面に基板２０の係合壁部２７が当接配置されている。これにより、化粧幕板３０Ａは、基板２０に対して前後方向への移動が規制されている。
【００４２】
また、下部板本体５１の上端部には、後方に向かって折曲され、幕板体３０の下壁部３４の下面に沿って配置された上壁部５４が設けられている。上壁部５４の端部には、上方に向かって折曲され、幕板体３０の後壁部３５の後面に沿って配置された上向き壁部５５が設けられている。上向き壁部５５の上端部には、前方に向かって折曲され、幕板体３０の係合壁部３６の上面に沿って配置された前向き壁部５６が設けられている。
【００４３】
下部板５０の上向き壁部５５には、板厚方向（前後方向）に貫通する取付孔５５ｈが形成されている。基板２０の取付孔２１ｈに挿通された螺子２１ｓが、下部板５０の取付孔５５ｈ及び幕板体３０の取付孔３５ｈに螺合されている。これにより、化粧幕板３０Ａの下部及び下部板５０は基板２０の下部に固定されている。
【００４４】
図４に示すように、幕板本体３１の幅方向の両端部には、後方に向かって折曲された側壁部３７が設けられている。側壁部３７の端部には、幅方向の内側に向かって折曲された後壁部３８が設けられている。後壁部３８は、側板１０の前壁部１２に当接している。
【００４５】
図５及び図６に示すように、幕板ユニット２０Ａにおいて、幕板体３０の上壁部３２（上端部）と基板２０の凹部Ｓ１の底壁部２５とは、同一高さとされている。これにより、幕板体３０の上壁部３２と天板６０との間には、隙間Ｓ２が形成されている。基板２０と天板６０との間に形成される凹部Ｓ１及び凹部Ｓ１の前側に連通された隙間Ｓ２が、後述するエプロンユニット１００を天板６０に固定するためのブラケット１８０が挿通される取付空間Ｓとされている。
【００４６】
（天板）
天板６０は、水平面に沿って配置された天板本体６１と、天板本体６１の上面及び端面に沿って設けられた天板化粧部６２と、を有している。天板本体６１の上面に設けられた天板化粧部６２は、その上面が作業面とされている。本実施形態では、天板本体６１は鋼板等の板材を加工して形成され、天板化粧部６２はメラミン化粧板により形成されている。天板本体６１は、側板１０及び幕板ユニット２０Ａの基板２０に螺子止め等により固定されている。天板６０の前端部は、基板２０よりも前方に突出して配置されている。
【００４７】
天板本体６１の下面には、上下方向に貫通する取付孔６２ｈ（図８参照。以下同じ。）が設けられている。この取付孔６２ｈは、後述するエプロンユニット１００を取り付けるためのものである。
【００４８】
図２に示すように、一対の側板１０、天板６０及び基板２０で囲まれた空間は、執務者の下肢等が配置される執務者側空間部Ｓ１１とされている。
【００４９】
（エプロンユニット）
図７は、ローカウンター２のエプロンユニット１００の分解斜視図である。図８は、ローカウンター２のエプロンユニット１００部分の縦断面図（図１のＡ−Ａ断面図）である。
図１、図２及び図７に示すように、エプロンユニット１００は、執務者側空間部Ｓ１１とは反対側の空間である来客側空間部Ｓ１２に配置されている。エプロンユニット１００は、床面Ｆ（図１参照）と離間して配置されている。
【００５０】
エプロンユニット１００は、幕板ユニット２０Ａの前面から天板６０の上面を覆うように配置されるエプロン本体１０１と、エプロン本体１０１の幅方向の内側に設けられる一対の内パネル１３０と、エプロン本体１０１の後面に沿って設けられる後パネル１４０と、エプロン本体１０１の上部に設けられるエプロン用天板１５０と、一対の内パネル１３０同士を連結する連結フレーム１６０と、を有している。
【００５１】
図７及び図８に示すように、エプロン本体１０１は、幕板ユニット２０Ａの前方に配置される前パネル部１１０と、前パネル部１１０の幅方向の両端部から後方に向かって折曲された側パネル部１２０と、を有している。
【００５２】
前パネル部１１０は、ローカウンター２の幅方向に沿って配置されている。前パネル部１１０の上端部及び下端部には、それぞれ後方に向かって折曲された折曲壁部１１１，１１２が設けられている。
【００５３】
側パネル部１２０の前側１２０ｆは、前パネル部１１０と略同じ高さで形成されている。側パネル部１２０の後側１２０ｂでは、上端部は前側１２０ｆの上端部と揃っており、下端部は前側１２０ｆの下端部よりも上方に位置している。
【００５４】
側パネル部１２０の上端部には、幅方向の内側に向かって折曲された折曲壁部１２１が設けられている。側パネル部１２０の前側１２０ｆの下端部及び後側１２０ｂの下端部には、それぞれ幅方向の内側に向かって折曲された折曲壁部１２２，１２３が設けられている。側パネル部１２０の前側１２０ｆの後端部及び後側１２０ｂの後端部には、それぞれ幅方向の内側に向かって折曲された折曲壁部１２４，１２５が設けられている。
【００５５】
折曲壁部１２４は、天板６０の前端面に沿って配置され、天板６０よりも下方に延び、化粧幕板３０Ａの上部にまで延びている。
【００５６】
側パネル部１２０の前側１２０ｆの後端部の折曲壁部１２４の後面には、緩衝材１２９が設けられている。緩衝材１２９は、上下方向に離間して２箇所に設けられている。緩衝材１２９は、化粧幕板３０Ａの幕板本体３１の前面に当接している。緩衝材として、ゴムや合成樹脂等の部材を採用することができる。
【００５７】
内パネル１３０は、ローカウンター２の前後方向に沿って配置されている。内パネル１３０部の上端部及び下端部には、それぞれ幅方向の外側に向かって折曲された折曲壁部１３１，１３２が設けられている。内パネル１３０の後端部は、エプロン本体１０１の側パネル部１２０の折曲壁部１２５に係合されている。
【００５８】
後パネル１４０は、ローカウンター２の幅方向に沿って配置されている。後パネル１４０の上端部、下端部及び幅方向の両端部には、それぞれ前方に向かって折曲された折曲壁部１４１，１４２，１４３が設けられている。
【００５９】
後パネル１４０の下端部の折曲壁部１４２の端部には、上方に向かって折曲された上向き壁部１４４が設けられている。上向き壁部１４４の上端部には、後方に向かって折曲された支持壁部１４５が設けられている。
【００６０】
後パネル１４０の幅方向の両端部の折曲壁部１４３の取付孔１４３ｈから挿通された螺子１４３ｓが、内パネル１３０の取付孔１３０ｈに螺合されている。
【００６１】
エプロン用天板１５０は、水平面に沿って配置され、上面が作業面とされている。エプロン本体１０１の側パネル部１２０の上端部の折曲壁部１２１の取付孔１２１ｈから挿通された螺子１２１ｓは、天板６０に螺合されている。また、エプロン本体１０１の前パネル部１１０の上端部の折曲壁部１１１の取付孔１１１ｈから挿通された螺子１１１ｓが、天板６０に螺合されている。
【００６２】
後パネル１４０の上端部の折曲壁部１４１の取付孔１４１ｈから挿通された螺子１４１ｓが、天板６０に螺合されている。
【００６３】
連結フレーム１６０は、ローカウンター２の幅方向に沿って配置されている。連結フレーム１６０の両端部には、下方に向かって折曲された下向き壁部１６１が設けられている。下向き壁部１６１の端部には、ローカウンター２の幅方向の外側に向かって折曲された取付壁部１６２が設けられている。
【００６４】
連結フレーム１６０の取付壁部１６２の取付孔１６２ｈに挿通された螺子１６２ｓは、内パネル１３０の下端部の折曲壁部１３２の取付孔１３２ｈに螺合されている。
【００６５】
上記のエプロンユニット１００は、ブラケット１８０を介して天板６０に取り付けられている。ブラケット１８０は、鉛直断面でコの状をなし、幅方向に離間して２箇所に設けられている。ブラケット１８０は、幕板ユニット２０Ａと天板６０との間に形成された取付空間Ｓに挿入される挿入片１８１と、エプロンユニット１００の後パネル１４０の下端部の支持壁部１４５の上面に当接する上部片１８２と、挿入片１８１と上部片１８２とを連結する連結片１８３と、を有している。
【００６６】
ブラケット１８０の挿入片１８１には、上下方向に貫通する取付孔１８１ｈが形成されている。挿入片１８１の取付孔１８１ｈから挿通された螺子１８１ｓが、天板本体６１の取付孔６２ｈに螺合されている。連結片１８３は、天板６０の前端部に当接している。挿入片１８１と上部片１８２とで天板６０とエプロンユニット１００の後パネル１４０の下端部とを挟み込んでいる。
【００６７】
次に、幕板ユニット２０Ａの化粧幕板３０Ａを基板２０に取り付ける方法について説明する。
側板１０及び天板６０に固定された基板２０に対して、化粧幕板３０Ａを幅方向の所定の位置に配置する。次に、基板２０の第二下壁部２８の下方に化粧幕板３０Ａの支持壁部５２を引っかけるように、化粧幕板３０Ａを下方から持ち上げる。そして、化粧幕板３０Ａの支持壁部５２の上部に基板２０の第二下壁部２８を載せて、基板２０の第二下壁部２８の先端部を化粧幕板３０Ａの後面に当接させ、化粧幕板３０Ａの上向き壁部５３の前面に基板２０の係合壁部２７を当接される。これにより、化粧幕板３０Ａは、基板２０に対して前後方向への移動が規制されている。
【００６８】
次に、基板２０の上部及び下部において、後側から螺子２１ｓで化粧幕板３０Ａを固定する。これにより、化粧幕板３０Ａがローカウンター２に装着される。
【００６９】
一方、化粧幕板３０Ａをローカウンター２から取り外す際には、基板２０と固定している螺子２１ｓを基板２０の後側から緩めて、化粧幕板３０Ａを基板２０に対して下方に移動させれば、取り外される。
【００７０】
次に、エプロンユニット１００を取り付ける方法について説明する。
予め、エプロンユニット１００を組み立てておく。エプロンユニット１００の後パネル１４０の下端部の折曲壁部１４２に、ブラケット１８０の上部片１８２を載せておく。この状態で、エプロン本体１０１の後側を天板６０に載置して、ブラケット１８０の挿入片１８１を幕板ユニット２０Ａと天板６０との間に形成された取付空間Ｓに挿入するとともに、エプロン本体１０１に設けられた緩衝材１２９が化粧幕板３０Ａに当接する位置までエプロンユニット１００を後方に押す。そして、螺子１８１ｓでブラケット１８０を天板６０に固定する。
【００７１】
このように構成されたカウンターシステム１では、基板２０は、床面上に設置される側板１０に支持され、鉛直面に沿って配置されている。また、化粧幕板３０Ａは、基板２０の執務側空間部Ｓ１１側に着脱可能に装着されている。よって、化粧幕板３０Ａを基板２０に装着すれば化粧幕板３０Ａを設置でき、必要に応じて取り外して他の化粧幕板３０Ａを取り付けることができるため、顧客の要望に応じた化粧幕板３０Ａを容易に設置することができる。
また、床面上に設置される側板１０に支持された天板６０には、ブラケット１８０を介してエプロンユニット１００が取り付けられている。よって、天板６０に支持されたエプロンユニット１００を、来客側空間部Ｓ１２側に配置することができる。
【００７２】
また、天板６０と基板２０との間に形成された凹部Ｓ１及び天板６０と化粧幕板３０Ａとの間に形成された隙間Ｓ２に配置されたブラケット１８０は、執務者側空間部Ｓ１１において、天板６０に固定されている。よって、ブラケット１８０が天板６０に固定されている部分は執務者側空間部Ｓ１１であるため、固定部分が来客側空間部Ｓ１２に露出することがなく、体裁を良好とすることができる。
【００７３】
また、ブラケット１８０が配置される取付空間Ｓは、天板６０と基板２０との間に形成された凹部Ｓ１及び天板６０と化粧幕板３０Ａとの間に形成された隙間Ｓ２である。つまり、化粧幕板３０Ａを天板６０との間に隙間Ｓ２を空けて配置させることで、化粧幕板３０Ａと天板６０との間にブラケット１８０を配置することができる。よって、化粧幕板３０Ａに加工を施す必要がないため、顧客の要望に応じた化粧幕板３０Ａを提供しやすいとともに、簡易な構成で取付空間Ｓを形成することができる。
【００７４】
また、天板６０の来客側空間部Ｓ１２側の端部は、基板２０よりも来客側空間部Ｓ１２側に突出している。よって、来客側空間部Ｓ１２の上方から見た際に、基板２０の上端部に形成された凹部Ｓ１が天板６０で隠れるため、凹部Ｓ１の露出を抑制して、体裁を良好とすることができる。
【００７５】
また、化粧幕板３０Ａは、基板２０に執務者側空間部Ｓ１１から螺子２１ｓで固定されている。よって、化粧幕板３０Ａを容易に取り付けたり、取り外したりすることができるとともに、化粧幕板３０Ａの基板２０に取付部４０分である螺子２１ｓが来客側空間部Ｓ１２から見えることがない。
【００７６】
（変形例１）
次に、上記に示す実施形態の変形例１について、主に図９、図１０を用いて説明する。
以下の変形例において、前述した実施形態で用いた部材と同一の部材には同一の符号を付して、その説明を省略する。
図９は、本発明の一実施形態の変形例１に係る天板付き什器を来客側から見た斜視図である。図１０は、本発明の一実施形態の変形例１に係る天板付き什器のオプション部材としてのトップススクリーン部分の縦断面図である。
図９及び図１０に示すように、変形例１では、ローカウンター２Ａには、オプション部材としてトップスクリーン２００が設けられている。
【００７７】
トップスクリーン２００は、板状に形成され、鉛直面に沿って配置されている。トップスクリーン２００には、文字や絵等の情報を施すことが可能である。
【００７８】
トップスクリーン２００を天板６０に固定しているブラケット１８０Ａは、取付空間Ｓに挿入され天板６０の下面に固定された挿入片１８１と、挿入片１８１の前端部から下方に延び、化粧幕板３０Ａの前面に沿って配置される下向き片１８４と、を有している。トップスクリーン２００の前面から、下向き片１８４に対してネジ１８４ｓが螺合されている。これにより、トップスクリーン２００が、ブラケット１８０を介して天板６０に固定されている。
【００７９】
（変形例２）
次に、上記に示す実施形態の変形例２について、主に図１１を用いて説明する。
図１１は、本発明の一実施形態の変形例２に係る天板付き什器を来客側から見た部分的な斜視図である。
図１１に示すように、変形例２では、ローカウンター２Ｂには、オプション部材としてかばん置き台２１０が設けられている。
かばん置き台２１０を天板６０に固定しているブラケット１８０Ｂは、幅方向に離間して配置された一対の挿入片１８１Ｂと、一対の挿入片１８１Ｂの前端部同士を連結するとともに下方に延び、化粧幕板３０Ａの前面に沿って配置される下向き片１８４Ｂと、下向き片１８４Ｂの端部から前方に延びる台本体２１０Ｂと、を有している。台本体２１０Ｂには、かばんＢを載置することができる。
【００８０】
（変形例３）
次に、上記に示す実施形態の変形例３について、主に図１２を用いて説明する。
図１２は、本発明の一実施形態の変形例３に係る天板付き什器を来客側から見た部分的な斜視図である。
図１２に示すように、変形例３では、ローカウンター２Ｃには、オプション部材としてポスターフック２２０が設けられている。
ポスターフック２２０は、取付空間Ｓ（図１０参照。以下同じ。）に挿入され天板６０の下面に固定された挿入片１８１Ｃと、挿入片１８１Ｃの前端部から下方に延び、化粧幕板３０Ａの前面に沿って配置されるフック部２２０Ｃと、を有している。フック部２２０Ｃには、上端部から下方に向かうスリット２２１が、幅方向に離間して２箇所に形成されている。これらスリット２２１に、ポスターＰの紐Ｐ１を通すことで、ポスターフック２２０にポスターＰを掛けることができる。
【００８１】
（変形例４）
次に、上記に示す実施形態の変形例４について、主に図１３を用いて説明する。
図１３は、本発明の一実施形態の変形例４に係る天板付き什器を来客側から見た部分的な斜視図である。
図１３に示すように、変形例４では、ローカウンター２Ｄには、オプション部材としてホルダー２３０が設けられている。
ホルダー２３０は、取付空間Ｓに挿入され天板６０の下面に固定された挿入片１８１Ｄと、挿入片１８１Ｄの前端部から上方に延び、天板６０の前端面に沿って配置される上向き片１８３Ｄと、上向き片１８３Ｄの上端部から天板６０の上面に沿って延びる係止盤２３１と、を有している。係止盤２３１の上面には、下方に向かって凹む係止凹部２３２が複数形成されている。係止盤２３１は、例えば摩擦係数の高い合成樹脂等により構成されている。ホルダー２３０の係止盤２３１には、杖Ｔの把持部Ｔ１を係止させることができる。
【００８２】
なお、上述した実施の形態において示した各構成部材の諸形状や組み合わせ等は一例であって、本発明の主旨から逸脱しない範囲において設計要求等に基づき種々変更可能である。
【００８３】
例えば、上記に示す実施形態では、天板付き什器として、ローカウンター２及びハイカウンター３が隣接したカウンターシステム１を例示したが、これに限らず、カウンター単体にも適用可能である。また、カウンター以外の例えばデスク、テーブル等であってもよい。
【００８４】
また、上記に示す実施形態では、幕板は基板２０に対して螺子止めされているが、本発明はこれに限れず、幕板を基板２０に係止させる構成であってもよい。
【００８５】
また、上記に示す実施形態では、オプション部材は、ブラケット１８０を介して天板６０に固定される構成であるが、本発明はこれに限られない。オプション部材が、脚体、天板６０、幕板支持体の少なくともいずれかに直接固定される構成であってもよい。あるいは、ブラケット１８０を介して、脚体または幕板支持体に固定される構成であってもよい。
【００８６】
また、上記に示す実施形態では、側板（脚体）１０は２脚設けられているが、本発明はこれに限られず、１脚でも、３脚以上でもよい。いずれの場合でも、幕板支持体が脚体または天板に支持されていればよい。
【符号の説明】
【００８７】
１…カウンターシステム
２…ローカウンター（天板付き什器）
３…ハイカウンター
１０…側板（脚体）
１１…側板本体
２０Ａ…幕板ユニット
２０…基板（幕板支持体）
２１…基板本体
２１ｓ…螺子
３０Ａ…化粧幕板（幕板）
３０…幕板体
３１…幕板本体
４０…取付部
５０…下部板
５１…下部板本体
６０…天板
６１…天板本体
６２…天板化粧部
１００…エプロンユニット（オプション部材）
１０１…エプロン本体
１１０…前パネル部
１２０…側パネル部
１２９…緩衝材
１３０…内パネル
１４０…後パネル
１５０…エプロン用天板
１６０…連結フレーム
１８０，１８０Ａ，１８０Ｂ…ブラケット
１８１…挿入片
１８２…上部片
１８３…連結片
２００…トップスクリーン（オプション部材）
２１０…かばん置き台（オプション部材）
２２０…ポスターフック（オプション部材）
２３０…ホルダー（オプション部材）
Ｓ…取付空間
Ｓ１…凹部
Ｓ２…隙間
Ｓ１１…執務者側空間部
Ｓ１２…来客側空間部
【図１】
2017086440.tif 000003
【図２】
2017086440.tif 000004
【図３】
2017086440.tif 000005
【図４】
2017086440.tif 000006
【図５】
2017086440.tif 000007
【図６】
2017086440.tif 000008
【図７】
2017086440.tif 000009
【図８】
2017086440.tif 000010
【図９】
2017086440.tif 000011
【図１０】
2017086440.tif 000012
【図１１】
2017086440.tif 000013
【図１２】
2017086440.tif 000014
【図１３】
2017086440.tif 000015